(57)【要約】【課題】作物全体に薬液を良好に付着させ、その付着効率を向上し、作業者の薬液被爆を少なくして健康被害を防止する。【解決手段】対となる左右噴口８ａ１と８ｂ１（８ａ２と８ｂ２、８ａ３と８ｂ３）の取り付け位置を左側壁３ａの噴口８ａ１（８ａ２、８ａ３）に対し、右側壁３ｂの噴口８ｂ１（８ｂ２、８ｂ３）が前方又は後方となるように所定距離ずらして配置し、その各噴口８ａ１、８ｂ１（８ａ２、８ｂ２、８ａ３、８ｂ３）の主たる噴射方向をいずれも後向き内方に向けて作物１４への対流噴霧を可能にし、天井壁２の後端より後方被いを垂らし、噴霧時にその後方被いの下端部付近を作物１３の上端部付近に接触させる。【選択図】        図１
2005013037.tif 000002
【特許請求の範囲】
【請求項１】
作物の列を跨いで、その列に栽培された作物を被う天井壁と左右側壁を有する門形状の枠体を本体とし、その左右側壁のほぼ同一高さに少なくとも１個ずつ噴口を取り付け、その左右噴口同士を対にして噴射を行なわせながら、その門形枠体を作物の列に沿って移動させる門形噴霧機であって、上記対となる左右噴口の取り付け位置を左側壁の噴口に対し、右側壁の噴口が前方又は後方となるように所定距離ずらして配置し、その各噴口の主たる噴射方向をいずれも後向き内方に向けて作物への対流噴霧を可能にすることを特徴とする門形対流噴霧機。
【請求項２】
門形枠体の天井壁の後端より後方被いを垂らし、噴霧時にその後方被いの下端部付近を作物の上端部付近に接触させることを特徴とする請求項１記載の門形対流噴霧機。
【請求項３】
門形枠体の左右側壁に高さを変えて対となる左右噴口を複数組取り付けることを特徴とする請求項１又は２記載の門形対流噴霧機。
【請求項４】
門形枠体の両下端に、その一方の下端に２車輪、他方の下端に１車輪を取り付け、それ等の車輪を作物の列間に配置して、牽引移動を可能にすることを特徴とする請求項１、２又は３記載の門形対流噴霧機。
【発明の詳細な説明】
【０００１】
【発明の属する技術分野】
本発明は園芸ハウス、露地で行なう列栽培の作物に対し、複数個の噴口を取り付けた門形枠体が列を跨いで薬液の噴霧を行なう門形噴霧機に関する。
【０００２】
【従来の技術】
従来、園芸ハウス、露地で栽培される作物に対し、農薬、肥料、その他の液体等の薬液を散布するため、噴霧機が使用されている。この種の噴霧機として、作物の列を跨いで、その列に栽培された作物に対し、左右側方に配置された噴口から薬液を噴射するため、複数個の噴口を有するアーチ形状のパイプからなる噴口体を用い、その噴口体を同形のアーチ状の噴口支持フレームにより支持し、それ等を列に沿って移動させるようにしたものがある。そして、噴霧時には、図７に示すように左右側方の同一高さにある噴口８（８ａ、８ｂ）を対として用い、作物の同一箇所Ｘに向けて、同時に反対方向から噴射を行なっている。
【０００３】
【特許文献１】
特開平７−２０３８２６
【０００４】
【発明が解決しようとする課題】
しかしながら、このような門形噴霧機には、作物の同一箇所Ｘに向けて、反対方向から同時噴射を行なわせるため問題がある。何故なら、作物の同一箇所Ｘに向かう主たる噴射方向が全く反対であるため、噴射速度が相殺されることにより、薬液を作物に強く当てて良好に付着させることができない。又、作物の主たる噴射方向から離れた箇所に対しては、薬液の付着を十分に行なえなくなる。
【０００５】
しかも、複数個の噴口を有するアーチ形状のパイプからなる噴口体を同形のアーチ状の噴口支持フレームで支持して、それ等の噴口より薬液を噴射させる構造となっているため、噴射された薬液が周囲に飛び散り易く、多くの薬液が無駄になる。それ故、噴霧機の近くにいる作業者の薬液被爆も起こり易く、健康被害が問題になる。
【０００６】
本発明はこのような従来の問題点に着目してなされたものであり、作物全体に薬液を良好に付着させ、付着効率を向上し、作業者の薬液被爆を少なくして健康被害を防止できる門形対流噴霧機を提供することを目的とする。
【０００７】
【課題を解決するための手段】
上記目的を達成するために、本発明による門形対流噴霧機は、作物の列を跨いで、その列に栽培された作物を被う天井壁と左右側壁を有する門形状の枠体を本体とし、その左右側壁のほぼ同一高さに少なくとも１個ずつ噴口を取り付け、その左右噴口同士を対にして噴射を行なわせながら、その門形枠体を作物の列に沿って移動させる。
【０００８】
そして、上記対となる左右噴口の取り付け位置を左側壁の噴口に対し、右側壁の噴口が前方又は後方となるように所定距離ずらして配置し、その各噴口の主たる噴射方向をいずれも後向き内方に向けて作物への対流噴霧を可能にする。
【０００９】
又、上記門形枠体の天井壁の後端より後方被いを垂らし、噴霧時にその後方被いの下端部付近を作物の上端部付近に接触させると好ましくなる。
又、上記門形枠体の左右側壁に高さを変えて対となる左右噴口を複数組取り付けるとよい。
又、上記門形枠体の両下端に、その一方の下端に２車輪、他方の下端に１車輪を取り付け、それ等の車輪を作物の列間に配置して、牽引移動を可能にするとよい。
【００１０】
【発明の実施の形態】
以下、添付の図１〜６を参照して、本発明の実施の形態を説明する。
図１は本発明を適用した牽引式門形対流噴霧機を園芸ハウス内におけるいちごの２段ベンチ栽培に使用した状態を示す正面図、図２はその牽引式門形対流噴霧機の右側面図、及び図３はその平面図である。この牽引式門形対流噴霧機１は天井壁２と左右側壁３（３ａ、３ｂ）を有する門形状の枠体４を本体とする。そして、門形枠体４は強度の大きなステンレスパイプ、ステンレス板等の金属製部材５を用いて骨組を形成し、そこにプラスチック板６を固着して製作する。
【００１１】
すると、そのプラスチック板６が軽いので、門形枠体４を軽くできて取り扱い易くなる。又、そのプラスチック板６を透過する外部光によって枠体４の内部を明るくできるため、噴霧状態を確認し易くなる。しかも、その門形枠体４内に噴霧した薬液の三方への外部飛散を防止することができる。そして、天井壁２にはその後端より柔軟性を有するプラスチックシート等の後方被い７を垂らす。すると、作物の生長度合、繁茂の状態等に応じて後方被い７の長さを調節し、噴霧時にその下端部付近を作物の上端部付近に接触することにより、後方への薬液の外部飛散を防ぐことができる。なお、後方被い７を用いずに噴霧を行うこともできる。
【００１２】
このような後方被い７付きの門形枠体４を多数の２段栽培ベンチと１段栽培ベンチとを交互に並べて作物の列を形成したいちご栽培に適用する場合には、その左側壁３ａの前面近くの内側直近に、垂直方向へほぼ等距離ずつ離して３個の噴口８ａ（８ａ１、８ａ２、８ａ３）を夫々取り付けて配設する。又、右側壁３ｂの中央より少し前面寄り位置の内側直近に、やはり垂直方向へほぼ等距離ずつ離して３個の噴口８ｂ（８ｂ１、８ｂ２、８ｂ３）を夫々取り付けて配設する。
【００１３】
すると、同一高さにある左右の噴口同士、即ち噴口８ａ１と８ｂ１、８ａ２と８ｂ２、８ａ３と８ｂ３とを夫々対にすると共に、その各対となる左右噴口８の取り付け位置をいずれも左側壁３ａの噴口８ａに対し、右側壁３ｂの噴口８ｂを所定距離ずらすことができる。又、天井壁２の前面近くの中央の内側直近にも、噴口８ｃを１個取り付けて配設する。
【００１４】
そして、左右側壁３に設けた各噴口８ａ、８ｂの主たる噴射方向をいずれも後向き内方の水平方向にし、対となる左右噴口同士の同時噴射を夫々行なうと、３組の対となる左右噴口８ａ、８ｂ毎にいちごへの対流噴射を夫々行なえる。又、天井壁２に設けた噴口８ｃの主たる噴射方向を後向き内方の下方方向にすると、いちごに上方から噴霧を行なえる。
【００１５】
又、この門形枠体４の移動方式を牽引式にするため、牽引用部材として、例えば左側壁３ａの中央より下寄り位置に、その壁面に沿うようにして門形枠体４より前方に突出する牽引棒９を固着し、その先端部付近を握り部１０にする。そして、左右側壁３の両下端に、連結した車輪支え１１（１１ａ、１１ｂ）を突設し、そこに前後に配置した２車輪１２｛１２ａ（１２ａ１、１２ａ２）、１２ｂ（１２ｂ１、１ｂ２）｝を夫々取り付ける。すると、牽引式門形対流噴霧機１が完成する。なお、各噴口８には外部よりホースを通じて薬液を送り込む。
【００１６】
このような牽引式門形対流噴霧機１を用いていちごに薬液を散布する場合、門形枠体４でいちごの列を跨ぎ、その両側にある列間の床上に左右の車輪１２を置く。そして、２段栽培ベンチ１３に対しては、図１に示すように左右側壁３の低位置にある左右噴口８ａ１、８ｂ１と高位置にある左右噴口８ａ３、８ｂ３、更に天井壁２にある噴口８ｃ等を開く。すると、後方被い７付き門形枠体４により２段栽培ベンチ１３の左右側方と後方上部が覆われているため、図４に示すようにその内部空間内に２組の対となる左右噴口８ａ１と８ｂ１、８ａ３と８ｂ３とから、主たる噴射方向をいずれも後向き内方の水平方向にして薬液を噴射し、上下段に置かれたいちご１４（１４ａ、１４ｂ）に対し、矢印で示す対流噴霧を夫々行なうことができる。なお、Ｌは３組の対となる左右噴口８ａ１と８ｂ１、８ａ２と８ｂ２、及び８ａ３と８ｂ３の取り付け位置のずれを示す。
【００１７】
このようにして、いちご１４に対し対流噴霧を行なうと、２組の対となる左右噴口８ａ１と８ｂ１、８ａ３と８ｂ３からの噴射速度が相殺されることなく、いちご全体に薬液を強く当て、葉の裏にも良く掛けて良好に付着させることができる。そして、噴射された薬液が囲われた空間内に留まり、周囲に飛び散り難いので、薬液の霧濃度が上がり、薬液が無駄にならず、付着効率が向上する。しかも、各噴口８の主たる噴射方向が全て後方に向いているので、門形対流噴霧機１を前方で牽引している作業者の薬液被爆も少なく、健康被害を防止できる。なお、各噴口８から薬液が一部前方に噴射されても、噴霧機１を牽引すると、その薬液が囲われた空間内に入る。
【００１８】
そこで、門形対流噴霧機１をいちごの列に沿って牽引して行き、その２段栽培ベンチ１３に対する噴霧が終了したら噴射を止め、隣りの列に移動する。そして、今度は図５に示すように１段栽培ベンチ１５に対し、左右側壁３の中位置にある左右噴口８ａ２、８ｂ２と天井壁２にある噴口８ｃ等を開く。すると、後方被い７付き門形枠体４の内部空間内にあるいちご１４ｃに対し、対流噴霧を行なうことにより同様の効果を得ることができる。このようにして、園芸ハウス内に栽培した各列のいちご１４に対し、門形対流噴霧機１を牽引して移動させながら、薬液の散布を実施する。
【００１９】
上記実施の形態では牽引式門形対流噴霧機１を園芸ハウス内に、多数の２段栽培ベンチ１３と１段栽培ベンチ１５とを交互に並べて列を形成したいちご栽培に使用する場合について説明したが、露地に果菜類等の作物の列を形成して栽培する場合についても使用することができる。その際には、図６に示すように作物１６の背が高い場合には、門形枠体４に取り付けられている全ての噴口８を開き、薬液を対流噴霧によって同様に散布する。
【００２０】
又、上記実施の形態では門形枠体４の左右両下端に２車輪１２を夫々取り付ける場合について説明したが、門形枠体の一方の下端には１車輪のみを取り付け、例えば左下端に２車輪を取り付けるのに対し、右下端に１車輪を取り付けることもできる。すると、牽引式門形対流噴霧機を作物の列の端まで移動させて、隣りの列に移す際のＵターンを行い易くなり、作業能率が向上する。
【００２１】
又、上記実施の形態では門形枠体４の左右側壁３のほぼ同一高さに対となる左右噴口８を１個ずつ取り付ける場合について説明したが、対となる左右噴口を複数個ずつ取り付けることもできる。
【００２２】
又、上記実施の形態では門形枠体４の左右側壁３に取り付ける対となる左右噴口８ａ、８ｂの位置を左噴口８ａに対し右噴口８ｂが後方となるように所定距離ずらして配置する場合について説明したが、左噴口に対し、右噴口が前方となるように所定距離ずらして配置することもできる。
【００２３】
【発明の効果】
以上説明した本発明によれば、請求項１記載の発明では後方被い付き門形枠体の内部空間に収容されている作物に対し、その門形枠体の左右側壁に取り付けた対となる左右噴口から薬液を噴射して対流噴霧を行なうことができる。それ故、対となる左右噴口からの噴射速度が相殺されることなく、作物全体に薬液を強く当て、葉の裏にも良く掛けて良好に付着させることができる。そして、噴射された薬液が囲われた空間内に留まり、周囲に飛び散り難いので、薬液の霧濃度が上がり、薬液が無駄にならず、付着効率が向上する。しかも、各噴口の主たる噴射方向が後方を向いているので、門形対流噴霧機の前方近くにいる作業者の薬液被爆が少なく、健康被害を防止できる。
【００２４】
又、請求項２記載の発明では門形枠体の天井壁の後端より後方被いを垂らし、噴霧時にその後方被いの下端部付近を作物の上端部付近に接触させることにより、噴射された薬液が囲われた空間内に一層留まり易くなり、周囲に飛び散り難いので、更に薬液の霧濃度が上がり、薬液が無駄にならず、付着効率が向上する。しかも、門形対流噴霧機の近くにいる作業者の薬液被爆が一層少なくなり、健康被害を防止できる。
【００２５】
又、請求項３記載の発明では門形枠体の左右側壁に高さを変えて対となる左右噴口を複数組取り付けることにより、作物の高さ等に応じて、対となる左右噴口の組を適宜選択して使用することができ、好都合となる。
【００２６】
又、請求項４記載の発明では門形枠体の両下端にその一方の下端に２車輪、他方の下端に１車輪を取り付けることにより、牽引式門形対流噴霧機を作物の列の端まで移動させて、隣りの列に移す際のＵターンを行い易くなり、作業能率が向上する。
【図面の簡単な説明】
【図１】本発明を適用した牽引式門形対流噴霧機を園芸ハウス内におけるいちごの２段ベンチ栽培に使用した状態を示す正面図である。
【図２】同牽引式門形対流噴霧機の右側面図である。
【図３】同牽引式門形対流噴霧機の平面図である。
【図４】同牽引式門形対流噴霧機の門形枠体を構成する左右側壁に取り付けた対となる噴口の噴射によって形成される対流噴霧を示す天井壁を除いた平面図である。
【図５】同牽引式門形対流噴霧機をいちごの１段ベンチ栽培に使用した状態を示す正面図である。
【図６】同牽引式門形対流噴霧機を果菜類等の栽培に使用した状態を示す正面図である。
【図７】従来の門形噴霧機の対となる左右噴口による作物への噴霧状態を示す部分正面図である。
【符号の説明】
１…牽引式門形対流噴霧機  ２…天井壁  ３…左右側壁  ４…門形枠体  ８…噴口  ９…牽引棒  １２…車輪  １３…２段栽培ベンチ  １４…いちご  １５…１段栽培ベンチ
【図１】
2005013037.tif 000003
【図２】
2005013037.tif 000004
【図３】
2005013037.tif 000005
【図４】
2005013037.tif 000006
【図５】
2005013037.tif 000007
【図６】
2005013037.tif 000008
【図７】
2005013037.tif 000009